(57)【要約】【課題】本発明は、画像読取装置に関し、２個の読取ユニットの各々で簡易に白基準及び黒基準の双方を読み取ることを目的とする。【解決手段】画像読取装置は、第１読取ユニットに設けられ第２読取ユニットにより読み取られる第１色基準部材と、第２読取ユニットに設けられ第１読取ユニットにより読み取られる第２色基準部材とを備える。第２読取ユニットが所定方向へ移動した場合においてこれに従って弾性部材を押圧しつつ第２色基準部材が移動することにより、又は、移動手段による第２読取ユニットの所定方向への移動が解除された場合において押圧された弾性部材の反発により、第１読取ユニットが読み取る第２色基準部材及び第２読取ユニットが読み取る第１色基準部材の白基準又は黒基準を切り換える。【選択図】　　　図３
2004048436.tif 000002
【特許請求の範囲】
【請求項１】
原稿の片面から画像を読み取る第１読取ユニットと、
原稿の片面又は両面から画像を読み取る第２読取ユニットと、
前記第１読取ユニットに設けられ、前記第２読取ユニットにより読み取られる第１色基準部材と、
前記第２読取ユニットに設けられ、前記第２読取ユニットによる前記第１色基準部材の読み取りと同時に前記第１読取ユニットにより読み取られる第２色基準部材と、
前記第２読取ユニットを所定方向へ移動させる移動手段とを備え、
前記第１色基準部材及び第２色基準部材は、その各々が、隣接して設けられた白基準及び黒基準を有し、
前記第２色基準部材は、前記第２読取ユニットにより押圧される弾性部材を備え、
前記移動手段により前記第２読取ユニットが所定方向へ移動した場合においてこれに従って前記弾性部材を押圧しつつ前記第２色基準部材が移動することにより、又は、前記移動手段による前記第２読取ユニットの所定方向への移動が解除された場合において前記押圧された弾性部材の反発により、前記第１読取ユニットが読み取る前記第２色基準部材及び前記第２読取ユニットが読み取る前記第１色基準部材の白基準又は黒基準を切り換える
ことを特徴とする画像読取装置。
【請求項２】
当該画像読取装置が、更に、
前記第１読取ユニット及び第２読取ユニットの間に設けられたプラテンガラスを備え、
前記第１読取ユニットに設けられた前記第１色基準部材が、前記第２読取ユニットに設けられた前記第２色基準部材よりも、用紙の搬送方向において上流に位置するようにされ、
当該プラテンガラスは、前記第１色基準部材に対向する部分において、前記第２読取ユニットの方向に厚くされた段差を有する
ことを特徴とする請求項１に記載の画像読取装置。
【請求項３】
第１光源を備え、少なくとも原稿の片面から画像を読み取る第１読取ユニットと、
第２光源を備え、少なくとも原稿の片面又は両面から画像を読み取る第２読取ユニットとを備え、
前記第１読取ユニットが画像を読み取る位置と前記第２読取ユニットが画像を読み取る位置とを、原稿の搬送方向にずらして配置し、
前記第１光源の隣接位置に設けられて当該第１光源からの光を前記第２読取ユニットの反射光の読取位置に反対側から透過光として入射させる第１導光部材、又は、前記第２光源の隣接位置に設けられて当該第２光源からの光を前記第１読取ユニットの反射光の読取位置に反対側から透過光として入射させる第２導光部材の少なくとも一方を有し、
前記第１読取ユニットが、前記第１光源からの光の原稿からの反射光、又は、前記第２光源からの光の原稿からの透過光により、画像を読み取り、
前記第２読取ユニットが、前記第２光源からの光の原稿からの反射光、又は、前記第１光源からの光の原稿からの透過光により、画像を読み取る
ことを特徴とする画像読取装置。
【請求項４】
前記導光部材を有する前記第１読取ユニット又は第２第１読取ユニットが、当該光源に近接する位置に設けられた反射板を備え、
前記反射板は、反射光により原稿画像を読み取る場合、当該光源からの光を反射して読取位置に照射し、かつ、当該光源からの光が隣接する当該導光部材に入射することを遮光し、透過光により原稿画像を読み取る場合、当該光源からの光を反射して隣接する当該導光部材に入射し、かつ、当該光源からの光が読取位置に照射されることを遮光する
ことを特徴とする請求項３に記載の画像読取装置。
【請求項５】
前記第１色基準部材及び第２色基準部材の白基準が、当該光源からの光に対して半透明である
ことを特徴とする請求項３に記載の画像読取装置。
【請求項６】
当該画像読取装置が、更に、
前記第１読取ユニットに設けられ、前記第２読取ユニットにより読み取られる第１色基準部材と、
前記第２読取ユニットに設けられ、前記第２読取ユニットによる前記第１色基準部材の読み取りと同時に前記第１読取ユニットにより読み取られる第２色基準部材と、
前記第２読取ユニットを所定方向へ移動させる移動手段とを備え、
前記第１色基準部材及び第２色基準部材は、その各々が、隣接して設けられた白基準及び黒基準を有し、
前記第２色基準部材は、移動前の位置に復帰するための弾性部材を備え、
前記移動手段により前記第２読取ユニットが所定方向へ移動した場合、これに従って前記弾性部材が押圧されて前記第２色基準部材が移動することにより、前記第１読取ユニットが読み取る前記第２色基準部材及び前記第２読取ユニットが読み取る前記第１色基準部材の白基準又は黒基準を切り換え、
前記移動手段による前記第２読取ユニットの所定方向への移動が解除された場合、前記押圧された弾性部材の反発により、前記第１読取ユニットが読み取る前記第２色基準部材及び前記第２読取ユニットが読み取る前記第１色基準部材の白基準又は黒基準を切り換える
ことを特徴とする請求項３に記載の画像読取装置。
【発明の詳細な説明】
【０００１】
【発明の属する技術分野】
本発明は、画像読取装置に関し、特に、原稿の表面及び裏面の画像を２個の読取ユニットにより並列に読み取る画像読取装置に関する。
【０００２】
【従来の技術】
イメージスキャナ等の画像読取装置として、ＦＢ（フラットベット）ユニットとＡＤＦ（オートマティックドキュメントフィーダ）ユニットの双方を備えるものが知られている。更に、このような画像読取装置において、ＡＤＦ読取モード（ＡＤＦユニットを用いる読取のモード）において、原稿の両面の画像を並列に読み取ることができる装置が知られている。この場合、ＡＤＦ読取モードにおいて、ＡＤＦユニットの光学ユニット（光学系）の他に、ＦＢユニットの光学ユニットを用いる。
【０００３】
例えば、ＦＢユニットは、ＦＢ読取モード（ＦＢユニットを用いる読取のモード）において、所定位置に載置された（固定された）原稿に描かれた画像を、その下方においてＦＢユニットの光学ユニットを副走査方向に移動させつつ、読み取る。また、例えば、ＡＤＦユニットは、ＡＤＦ読取モードにおいて、所定方向に搬送される原稿の両面の画像を、その上方及び下方において所定の位置に位置するＡＤＦユニットの光学ユニット及びＦＢユニットの光学ユニットにより読み取る。
【０００４】
【発明が解決しようとする課題】
画像読取装置においては、主として光源（ランプ）の特性の影響を排除するために、周知のように、白基準（白レベルシート）を読み取って、これに基づいて、読み取った画像データを補正することが行われる。また、画像読取装置においては、主としてＯＣＲ（オプティカルキャラクタリーダ）処理を行なうために、周知のように、黒基準（黒レベルシート）を読み取って、これに基づいて、読み取った画像データについてのエッジ抽出処理及び文字認識処理を行なう。
【０００５】
しかし、前述のような画像読取装置においては、ＡＤＦ読取モードにおける原稿の両面の読み取りを行なおうとすると、原稿の画像の読み取りに先立って、表面用及び裏面用の白基準及び黒基準の合わせて４個の基準データを、読み取らなければならない。また、４個の基準データの読み取りのために、ＡＤＦユニットの光学ユニット及びＦＢユニットの光学ユニットを、各々の読み取り位置に移動させなければならない。このため、画像読取装置の読み取りの速度（スループット）の向上の障害となっていた。
【０００６】
一方、前述のような画像読取装置においては、ＡＤＦ読取モードで２個の光学ユニットを使用できることを流用して、搬送される反射原稿の画像を読み取ったり、透過原稿の画像を読み取ったりすることが行なわれる。例えば、ＡＤＦユニットの光学ユニットが、その光源を用いて反射原稿の画像を読み取り、かつ、ＦＢユニットの光学ユニットの光源を用いて透過原稿の画像を読み取る。
【０００７】
しかし、この場合、反射板を用いて、光源からの光を反射光による読取位置に照射したり、透過光による読取位置に照射するように切り替える必要がある。このため、光源から読取位置までの距離が長くなって、光量の低下を招いていた。また、反射板は光源からの光を反射面全体で反射してしまうため、光の回り込み（フレア）が大きく、画像の読取の品質を向上させる障害となっていた。
【０００８】
本発明の目的は、２個の読取ユニットの各々で簡易に白基準及び黒基準の双方を読み取ることができる画像読取装置を提供することにある。
【０００９】
また、本発明の目的は、光源から原稿の読取位置までの距離を簡易な構成で短くした画像読取装置を提供することにある。
【００１０】
【課題を解決するための手段】
本発明の画像読取装置は、原稿の片面から画像を読み取る第１読取ユニットと、原稿の片面又は両面から画像を読み取る第２読取ユニットと、第１読取ユニットに設けられ第２読取ユニットにより読み取られる第１色基準部材と、第２読取ユニットに設けられ第２読取ユニットによる第１色基準部材の読み取りと同時に第１読取ユニットにより読み取られる第２色基準部材と、第２読取ユニットを所定方向へ移動させる移動手段とを備える。第１色基準部材及び第２色基準部材は、その各々が、隣接して設けられた白基準及び黒基準を有する。第２色基準部材は、第２読取ユニットにより押圧される弾性部材を備える。移動手段により第２読取ユニットが所定方向へ移動した場合においてこれに従って弾性部材を押圧しつつ第２色基準部材が移動することにより、又は、移動手段による第２読取ユニットの所定方向への移動が解除された場合において押圧された弾性部材の反発により、第１読取ユニットが読み取る第２色基準部材及び第２読取ユニットが読み取る第１色基準部材の白基準又は黒基準を切り換える。
【００１１】
本発明の画像読取装置によれば、第１色基準部材と第２色基準部材とが同時に読み取られると共に、第２読取ユニットによる弾性部材の押圧及びこれへの反発により、各々における白基準及び黒基準を順次に切り換えて読み取ることができる。これにより、原稿からの画像の読取に先立って白基準及び黒基準を読み取る処理において、白基準及び黒基準の読み取りを速やかに行なうことができるので、画像読取装置の読み取りの速度を向上し、スループットを向上することができる。
【００１２】
また、本発明の画像読取装置は、第１光源を備え少なくとも原稿の片面から画像を読み取る第１読取ユニットと、第２光源を備え少なくとも原稿の片面又は両面から画像を読み取る第２読取ユニットとを備える。第１読取ユニットが画像を読み取る位置と第２読取ユニットが画像を読み取る位置とは、原稿の搬送方向にずらして配置される。画像読取装置は、第１光源の隣接位置に設けられて当該第１光源からの光を前記第２読取ユニットの反射光の読取位置に反対側から透過光として入射させる第１導光部材、又は、前記第２光源の隣接位置に設けられて当該第２光源からの光を前記第１読取ユニットの反射光の読取位置に反対側から透過光として入射させる第２導光部材の少なくとも一方を有する。第１読取ユニットが前記第１光源からの光の原稿からの反射光又は第２光源からの光の原稿からの透過光により画像を読み取り、第２読取ユニットが第２光源からの光の原稿からの反射光又は第１光源からの光の原稿からの透過光により画像を読み取る。
【００１３】
本発明の画像読取装置によれば、第１及び第２光源に隣接する第１及び第２導光部材の少なくとも一方を設けることにより、反射光による読取位置の反対側から透過光をその読取位置に入射させることができる。これにより、光量の低下を少なくし、かつ、光の回り込み（フレア）を少なくして、反射原稿と透過原稿の双方の読み取りを高品質で行うことができる。
【００１４】
【発明の実施の形態】
図１は画像読取装置構成図であり、本発明の画像読取装置の外観構成の概略を示す。
【００１５】
画像読取装置は、例えばイメージスキャナであって、ＦＢユニット１２とＡＤＦユニット１１の双方を備える。ＦＢユニット１２は、ＦＢ読取モードにおいて、原稿カバー１５の下部の第２プラテンガラス２２（図２参照）上に載置された読取対象の原稿から画像を読み取る。ＡＤＦユニット１１は、ＡＤＦ読取モードにおいて、ホッパ１３に積載された読取対象の（複数の）原稿を下方から順に１枚ずつピック（分離）して、ＡＤＦユニット１１の内部を所定方向（図１中、右から左方向）に搬送して、第１プラテンガラス３２（図２参照）上を通過させるように給紙しつつ画像を読み取り、その後スタッカ１４へ排出する。
【００１６】
図２は画像読取装置構成図であり、本発明の画像読取装置の全体の断面の概略構成を示す。図２において、点線は原稿からの反射光の読み取りの場合における光源からの光のたどる光路を示し、一点鎖線は原稿（用紙）の搬送の経路を示し、二点鎖線はＦＢ読取モードにおけるＦＢ読取ユニット２１の移動の際の最初及び最後の位置を示す。
【００１７】
ＦＢユニット１２は、当該画像読取装置の下部の直方体状の部分であって、ＦＢユニット１２の光学ユニット（ＦＢ読取ユニット）２１、第２プラテンガラス２２、ガイドレール（又はベルト）２３を備える。ＦＢ読取ユニット２１は第２読取ユニット２１である。
【００１８】
ＦＢ読取ユニット２１は、原稿を照射する光源又はランプ（第２光源）４１、４枚の反射鏡４２、（集光）レンズ４３、ラインセンサ４４を備える。ラインセンサ４４は、点線で示す光路を経て入射する光を検出することにより、原稿の画像を読み取る。当該入射光は、原稿での反射光又は原稿の透過光である。また、ＦＢ読取ユニット２１は、図示しないが、当該ＦＢ読取ユニット２１をガイドレール２３に沿ってその方向（副走査方向）に移動させるための移動手段、例えばモータ等を備える。
【００１９】
ＦＢ読取モードにおいて、ユーザは、原稿カバー１５を矢印方向に開けて、第２プラテンガラス２２上に原稿を載置した後、原稿カバー１５を矢印の反対方向に閉じて原稿を原稿カバー１５により押さる。原稿カバー１５は、回動支点（図示せず）を中心にホッパ１３と共に回動して、第２プラテンガラス２２上で開閉する。
【００２０】
ＦＢ読取ユニット２１は、ＦＢ読取モードにおいて、以下のようにして画像を読み取る。即ち、最初に、ＦＢ読取ユニット２１は、図２に実線で示す位置において、第２光源４１からの光で白基準及び黒基準を読み取る（図３を参照して後述する）。次に、ＦＢ読取ユニット２１は、図２に（図中左側の）二点鎖線で示す位置に移動し、原稿の画像を読み取る。即ち、ＦＢ読取ユニット２１は、第２プラテンガラス２２の下方において、その移動手段によりガイドレール２３に案内されつつ矢印方向（副走査方向）に移動しながら、第２光源４１からの光による原稿からの反射光を検出することにより画像を読み取る。即ち、図２に点線で示すように、第２光源４１から原稿に照射された光の反射光を反射鏡４２で反射させることにより、その反射光をレンズ４３を介してラインセンサ４４に集光（結像）して画像を読み取る。ＦＢ読取ユニット２１は、右側の二点鎖線で示す位置まで移動して、１枚の原稿の画像の読み取りを終了する。
【００２１】
ＡＤＦユニット１１は、当該画像読取装置の下部の直方体状のＦＢユニット１２の上部に設けられる断面台形状の部分であって、ＡＤＦユニット１１の光学ユニット（ＡＤＦ読取ユニット）３１、第１プラテンガラス３２、ピック（アップ）ローラ３３、分離（又は給紙）ローラ３４、一対の送り（又はレジスト）ローラ３５、一対の排出ローラ３６を備える。ＡＤＦ読取ユニット３１は第１読取ユニット３１である。なお、ＡＤＦユニット１１は、確実に１枚ずつ原稿を搬送して給紙するための周知のゲート、分離パッド等を備え（共に図示せず）、また、原稿の搬送をガイドする上下一対の用紙ガイド３７、３８（図３参照）を備える。
【００２２】
ＡＤＦ読取ユニット３１は、原稿を照射する光源又はランプ（第１光源）５１、３枚の反射鏡５２、レンズ５３、ラインセンサ５４を備える。ラインセンサ５４は、点線で示す光路を経て入射する光を検出することにより、原稿の画像を読み取る。当該入射光は、原稿での反射光又は原稿の透過光である。
【００２３】
ＡＤＦ読取モードにおいて、ユーザは、ホッパ１３上に１枚又は複数枚の原稿を載置する。ホッパ１３上の原稿は、ピックローラ３３（及びゲート）により下から順に（１枚又は複数枚）ピックされ、分離ローラ３４（及び分離パッド）により１枚ずつに分離されて、用紙ガイドに沿って、送りローラ３５及び排出ローラ３６に給紙される。送りローラ３５及び排出ローラ３６は、上下一対に設けられ、これらにより原稿を挟んで、第１プラテンガラス３２上を通過させつつＡＤＦ読取ユニット３１に画像を読み取らせ、スタッカ１４上に排出する。
【００２４】
ＡＤＦ読取ユニット３１は、ＡＤＦ読取モードにおいて、以下のようにして画像を読み取る。即ち、最初に、ＡＤＦ読取ユニット３１は、原稿がピックされ搬送さていない状態で（ピック及び搬送に先立って）、白基準及び黒基準を読み取る（図３を参照して後述する）。次に、ＡＤＦ読取ユニット３１は、原稿を前述のように１枚ずつ給紙しつつ、原稿の画像を読み取る。即ち、ＡＤＦ読取ユニット３１は、第１プラテンガラス３２の上方を一点鎖線の経路で搬送される原稿からの反射光又は透過光を検出することにより画像を読み取る。
【００２５】
ＡＤＦ読取モードにおいて、原稿の片面又は両面から画像を読み取る。原稿の片面から画像を読み取る場合であって、原稿が反射型（通常の白紙）である場合、ＡＤＦ読取ユニット３１を用いる。即ち、図２に点線で示すように、第１光源５１から原稿に照射された光の反射光を反射鏡５２で反射させることにより、その反射光をレンズ５３を介してラインセンサ５４に集光（結像）して画像を読み取る。
【００２６】
また、原稿の片面から画像を読み取る場合であって、原稿が透過型である場合、ＦＢ読取ユニット２１の第２光源４１及びＡＤＦ読取ユニット３１を用いる。この時、ＦＢ読取ユニット２１は第１プラテンガラス３２の下方に位置して光を照射し、ＡＤＦ読取ユニット３１は第１プラテンガラス３２の上方に位置して画像を読み取る。即ち、図２に示す位置に存在するＦＢ読取ユニット２１の第２光源４１から原稿に照射された光の透過光により反射鏡５２及びレンズ５３を介してラインセンサ５４で画像を読み取る。
【００２７】
原稿の両面から画像を読み取る場合、ＡＤＦ読取ユニット３１の他に、ＦＢユニット１２のＦＢ読取ユニット２１を用いる。この時、ＦＢ読取ユニット２１は第１プラテンガラス３２の下方に位置して画像を読み取り、ＡＤＦ読取ユニット３１は第１プラテンガラス３２の上方に位置して画像を読み取る。即ち、（原稿が反射型である場合）ＡＤＦ読取ユニット３１において第１光源５１から原稿に照射された光の反射光によりラインセンサ５４で画像を読み取り、ＦＢ読取ユニット２１において第２光源４１から原稿に照射された光の反射光によりラインセンサ４４で画像を読み取る。
【００２８】
なお、透過型の原稿からの画像を、ＦＢ読取ユニット２１及びＡＤＦ読取ユニット３１の第１光源５１を用いて読み取るようにしてもよい。即ち、第１光源５１から原稿に照射された光の透過光を、図２に示す位置に存在するＦＢ読取ユニット２１の反射鏡４２及びレンズ４３を介してラインセンサ４４に集光して画像を読み取る。
【００２９】
図３は画像読取装置構成図であり、本発明の画像読取装置の要部の断面の概略構成を示し、原稿が反射型である場合について示す。図３において、点線Ａ乃至Ｃは画像の読み取り位置を表す。
【００３０】
第１色基準部材７１は、図３に示すように、ＡＤＦ読取ユニット３１（の用紙ガイド３７）に設けられ、ＦＢ読取ユニット２１により読み取られる。即ち、ＦＢ読取ユニット２１用である。第１色基準部材７１は、主走査方向（副走査方向に直交する方向）の全域にわたり相互に隣接して設けられる第１白基準部材７１Ｗ及び第１黒基準部材７１Ｂからなり、第１プラテンガラス３２の上面に対向する用紙ガイド３７に、例えば当該部材（のシート）を貼付することにより設けられる。用紙ガイド３７は固定されているので、第１色基準部材７１も移動しない。例えば、原稿の搬送方向において、第１白基準部材７１Ｗ及び第１黒基準部材７１Ｂの順に設けられる。
【００３１】
第２色基準部材６１は、ＦＢ読取ユニット２１（の筐体２１Ａ）に設けられ、ＦＢ読取ユニット２１による第１色基準部材７１の読み取りと同時にＡＤＦ読取ユニット３１により読み取られる。即ち、ＡＤＦ読取ユニット３１用である。第２色基準部材６１は、主走査方向の全域にわたり相互に隣接して設けられる第２白基準部材６１Ｗ及び第２黒基準部材６１Ｂからなり、第１プラテンガラス３２の下面に対向するＦＢ読取ユニット２１の筐体２１Ａに、例えば当該部材（のシート）を貼付することにより設けられる。ＦＢ読取ユニット２１が移動可能であるので、その移動に従って、第２色基準部材６１も移動する。例えば、原稿の搬送方向において、第２黒基準部材６１Ｂ及び第２白基準部材６１Ｗの順に設けられる。
【００３２】
第２白基準部材６１Ｗ及び第２黒基準部材６１Ｂの副走査方向の寸法（幅）は、各々、第１白基準部材７１Ｗ及び第１黒基準部材７１Ｂの副走査方向の寸法と同一とされる。更に、この例では、これらの４個の部材６１Ｗ、６１Ｂ、７１Ｗ及び７１Ｂの副走査方向の寸法は互いに同一とされる。
【００３３】
画像読取装置は、周知のように、白基準部材７１Ｗ、６１Ｗを読み取って、これに基づいて、読み取った画像データを補正する。また、画像読取装置は、周知のように、黒基準部材７１Ｂ、６１Ｂを読み取って、これに基づいて、読み取った画像データについてのエッジ抽出処理及び文字認識処理を行なう。この第１色基準部材７１及び第２色基準部材６１の読み取りにおいて、この例では、当該読み取りのためのＦＢ読取ユニット２１の移動距離及び時間を小さなものとすることができる。
【００３４】
このために、第２色基準部材６１は、移動前の位置に復帰するための弾性部材を備える。弾性部材はバネ８１（及びピン８２）からなる。バネ８１は、例えばコイルバネからなる。ピン８２は、実際は図示よりも太く、バネ８１のガイドである。バネ８１は、例えば板バネ等であってもよい。バネ８１は、ＦＢユニット１２の筐体１２Ａに、ＦＢ読取ユニット２１の筐体２１Ａに当接するように設けられる。即ち、筐体１２Ａの上端におけるバネ８１の伸縮の方向への凸部に設けられ、ピン８２にガイドされて筐体２１Ａの上端における当該方向への凹部に当接する。
【００３５】
このようなバネ８１等は、主走査方向において、その読取領域の両端の外側に設けられる。主走査方向は、副走査方向と直交する方向であって、プラテンガラス２２及び３２に平行な方向である。読取領域は、ほぼプラテンガラス２２及び３２の主走査方向の長さに一致する。従って、筐体２１Ａの凹部とプラテンガラス３２の一部３２Ａが衝突することはない。
【００３６】
ＡＤＦ読取モードにおいて、ＦＢ読取ユニット２１（の筐体２１Ａ）は、その移動手段により図２及び図３に示す位置（以下、第１の位置と言う）に移動させられる。第１の位置において、ＦＢ読取ユニット２１の筐体２１Ａは、バネ８１に軽く当接する。従って、バネ８１には付勢されない（無負荷である）。この時、ＡＤＦ読取ユニット３１の読取位置は、点線Ｃで示す位置となる。第１光源５１からの光は読取位置Ｃの方向に照射される（図４参照）。また、ＦＢ読取ユニット２１の読取位置は、点線Ａで示す位置となる。第２光源４１からの光は読取位置Ａの方向に照射される（図４参照）。従って、ＡＤＦ読取ユニット３１が画像を読み取る位置と、ＦＢ読取ユニット２１が画像を読み取る位置とは、原稿の搬送方向において、ずらして配置される。
【００３７】
一方、ＡＤＦ読取モードにおいて、更に、ＦＢ読取ユニット２１（の筐体２１Ａ）は、その移動手段により、点線Ａが点線Ｂに重なる位置（以下、第２の位置と言う）まで、図中左側（筐体１２Ａ側）の方向に移動させられる。第２の位置において、ＦＢ読取ユニット２１の筐体２１Ａは、バネ８１を押圧する。従って、バネ８１には付勢される（負荷がある）。この時、ＡＤＦ読取ユニット３１の読取位置は、点線Ｃで示す位置であり、変わらない。第１光源５１からの光の照射方向の変わらず、読取位置Ｃの方向である。しかし、ＦＢ読取ユニット２１の読取位置は、点線Ｂで示す位置となる。第２光源４１からの光は読取位置Ｂの方向に照射される。
【００３８】
そして、ＦＢ読取ユニット２１（の筐体２１Ａ）は、その移動手段による前記方向への移動が解除された（モータの駆動力が０とされ、ギアの回転がフリーとされた）場合、押圧されたバネ８１（弾性部材）の反発（弾性力）により、第１の位置（移動前の位置）に復帰する。即ち、ＡＤＦ読取ユニット３１の読取位置は点線Ｃで示す位置となり、ＦＢ読取ユニット２１の読取位置は点線Ａで示す位置となる。
【００３９】
以上から、この例では、ＡＤＦ読取モードにおいて、白基準及び黒基準の読み取りは、以下のように行なわれる。
【００４０】
最初に、ＦＢ読取ユニット２１が、図２の左側の二点鎖線で示す位置（ＦＢ読取モードの位置）から図中左方向へ移動を開始し、ＦＢ読取ユニット２１の読取位置が図３において点線Ｂで示す位置となる位置（第２の位置）まで移動して停止する。これにより、バネ８１は押圧される。そして、この第２の位置において、ＡＤＦ読取ユニット３１は点線Ｃで示す位置で第２黒基準部材６１Ｂを読み取り、同時に、ＦＢ読取ユニット２１は点線Ｂで示す位置で第１黒基準部材７１Ｂを読み取る。
【００４１】
次に、ＦＢ読取ユニット２１において、その移動手段による前記方向への移動が解除される。これにより、押圧されたバネ８１の反発で、ＦＢ読取ユニット２１が第１の位置に移動して停止する。そして、この第１の位置において、ＡＤＦ読取ユニット３１は点線Ｃで示す位置で第２白基準部材６１Ｗを読み取り、同時に、ＦＢ読取ユニット２１は点線Ａで示す位置で第１白基準部材７１Ｗを読み取る。
【００４２】
この後、ＡＤＦ読取モードにおいて、原稿の画像の読み取りを行なう。即ち、第１の位置において、ＡＤＦ読取ユニット３１は点線Ｃで示す位置で原稿の表面（第１面）の画像を読み取り、ほぼ並列して（同時に）、ＦＢ読取ユニット２１は点線Ａで示す位置で原稿の裏面（第２面）の画像を読み取る。従って、第１の位置は、ＡＤＦ読取モードの位置である。以上により、ＦＢ読取ユニット２１の移動時間を短縮することができる。
【００４３】
従って、ＦＢ読取ユニット２１の移動により、第１黒基準部材７１Ｂから第１白基準部材７１Ｗへの切り換え、及び、第２黒基準部材６１Ｂから第２白基準部材６１Ｗへの切り換えを行なうことができる。そして、その前後で、第１黒基準部材７１Ｂ及び第２黒基準部材６１Ｂの同時の読み取り、及び、第１白基準部材７１Ｗ及び第２白基準部材６１Ｗの同時の読み取りを行なうことができる。
【００４４】
なお、ＦＢ読取ユニット２１をＦＢ読取モードの位置から第１の位置に移動させて白基準等の読み取りを行い、その後第２の位置に移動させて白基準等の読み取りを行い、その後再度第１の位置に移動させて原稿の画像の読み取りを行うようにしてもよい。即ち、先に第１白基準部材７１Ｗ及び第２白基準部材６１Ｗを読み取り、その後第１黒基準部材７１Ｂ及び第２黒基準部材６１Ｂを読み取ってもよい。
【００４５】
このように、この例では、移動手段によりＦＢ読取ユニット２１が所定方向へ移動した場合において、これに従ってバネ８１を押圧し、ＡＤＦ読取ユニット３１が読み取る第２色基準部材６１及びＦＢ読取ユニット２１が読み取る第１色基準部材７１の白基準又は黒基準を切り換える。又は、移動手段によるＦＢ読取ユニット２１の所定方向への移動が解除された場合において、押圧されたバネ８１の反発により、ＡＤＦ読取ユニット３１が読み取る第２色基準部材６１及びＦＢ読取ユニット２１が読み取る第１色基準部材７１の白基準又は黒基準を切り換える。
【００４６】
なお、この例では、第１プラテンガラス３２の一部３２Ａを厚くしている。即ち、第１プラテンガラス３２のＦＢ読取ユニット２１側に、補強ガラス３２Ａを取り付けることにより、その強度を確保している。第１プラテンガラス３２は、搬送されてくる原稿の先端が当接する上流側のＦＢ読取ユニット２１の読取位置Ａ及びＢにおいて、必要な強度を確保できる厚い板厚に形成する。一方、その下流側のＡＤＦ読取ユニット３１の読取位置ではあまり強度は必要ないので、第１光源５１からの光量が減衰しないように、薄めの板厚に形成される。
【００４７】
また、ＡＤＦ読取モードにおいて、原稿の片面のみを読み取る場合、ＡＤＦ読取ユニット３１により、第２黒基準部材６１Ｂ及び第２白基準部材６１Ｗを読み取り、その後、原稿の画像を読み取ればよい。
【００４８】
図４は画像読取装置構成図であり、本発明の画像読取装置の要部の断面の概略構成を示し、原稿が反射型及び透過型である場合について示す。
【００４９】
ＡＤＦ読取ユニット３１は、第１反射板９１、第１導光部材９３を備える。同様に、ＦＢ読取ユニット２１は、第２反射板９２、第２導光部材９４を備える。第１反射板９１及び第１導光部材９３は、対応する第１光源５１の近傍に平行に、主走査方向の全域にわたって設けられる。第１光源５１と第１導光部材９３との間に、第１反射板９１が位置する。第２反射板９２及び第２導光部材９４は、対応する第２光源４１の近傍に平行に、主走査方向の全域にわたって設けられる。第２光源４１と第２導光部材９４との間に、第２反射板９２が位置する。
【００５０】
第１反射板９１は、第１光源５１の近傍にその円周の一部を覆うように設けられる。そして、第１反射板９１は、第１光源５１と共に（又は、独立に）、回転可能に設けられる。このために、ＡＤＦ読取ユニット３１は、第１反射板９１（及び第１光源５１）を回転させるための、回転手段を備える（図示せず）。なお、実際の第１反射板９１は、当該回転に支障のないように設けられる。
【００５１】
第１反射板９１は、反射型の原稿の読取時において、図４に示すように、第１光源５１と第１導光部材９３との間に位置する。これにより、第１反射板９１は、反射型の原稿の読取時において、第１光源５１からの光がＡＤＦ読取ユニット３１の読取位置に照射されるように、反射する。また、第１反射板９１は、反射型の原稿の読取時において、第１光源５１からの光が第１導光部材９３に入射しないように、これを遮光する。従って、第１反射板９１は、反射型の原稿の読取時において、対応する第１導光部材９３に対する遮光板としても働く。
【００５２】
また、第１反射板９１は、透過型の原稿の読取時において、図４に示す位置からほぼ１８０°回転して、ほぼ第１光源５１と読取位置Ｃとの間に位置する。これにより、第１反射板９１は、透過型の原稿の読取時において、第１光源５１からの光が第１導光部材９３に入射する。これにより、第１導光部材９３は、第１光源５１からの光がＦＢ読取ユニット２１の読取位置に照射されるように、導光（反射）する。また、第１反射板９１は、透過型の原稿の読取時において、第１光源５１からの光がＦＢ読取ユニット２１に入射しないように、これを遮光する。従って、第１反射板９１は、透過型の原稿の読取時において、ＦＢ読取ユニット２１に対する遮光板としても働く。
【００５３】
第２反射板９２及び第２導光部材９４も、以上と同様である。即ち、第２反射板９２は、第２光源４１の近傍にその円周の一部を覆うように、第２光源４１と共に（又は、独立に）回転可能に設けられる。このために、ＦＢ読取ユニット２１は、第２反射板９２（及び第２光源４１）を回転させるための、回転手段を備える（図示せず）。なお、第２反射板９２は、当該回転に支障のないように設けられる。
【００５４】
第２反射板９２は、反射型の原稿の読取時において、図４に示すように、第２光源４１と第２導光部材９４との間に位置し、これにより、第２光源４１からの光がＦＢ読取ユニット２１の読取位置に照射されるように反射し、また、第２光源４１からの光が第２導光部材９４に入射しないようにこれを遮光する。第２反射板９２は、反射型の原稿の読取時において、対応する第２導光部材９４に対する遮光板として働く。
【００５５】
また、第２反射板９２は、透過型の原稿の読取時において、図４に示す位置からほぼ１８０°回転して、ほぼ第２光源４１と読取位置Ａとの間に位置し、これにより、第２光源４１からの光が第２導光部材９４に入射させ、第２光源４１からの光がＡＤＦ読取ユニット３１に入射しないようにこれを遮光する。第２導光部材９４は、第２光源４１からの光がＡＤＦ読取ユニット２１の読取位置に照射されるように、導光（反射）する。第２反射板９２は、透過型の原稿の読取時において、ＡＤＦ読取ユニット３１に対する遮光板として働く。
【００５６】
以上により、反射型の原稿を読み取るための構成をそのままにして、第１光源５１及び第２光源４１からの光を、透過型の原稿を読み取るための透過光として、反射型の原稿の読取位置において、その反対側から最短距離で入射させることができる。また、透過型の原稿を読み取る場合でも、光量の減少を少なくし、また、光の不要な回り込みを殆どなくすことができる。
【００５７】
ここで、第１及び第２導光部材９３及び９４は、透明のブロック材により形成される。第１及び第２導光部材９３及び９４は、外部との屈折率の差から入射光を全反射することが望ましい。このために、第１及び第２導光部材９３及び９４は、例えばガラス、ポリカーボネイト、アクリル等からなる透明なブロック材により形成すればよい。
【００５８】
また、第１及び第２導光部材９３及び９４は、鉛直の端面（第１プラテンガラス３２に垂直な面）から入射してくる光を水平の端面（第１プラテンガラス３２に平行な面）から出射するように全反射する反射面を有する。鉛直の端面とは第１プラテンガラス３２に垂直な面であり、水平の端面とは第１プラテンガラス３２に平行な面である。従って、反射面とは、図４において、第１及び第２導光部材９３及び９４の斜めに形成された面である。このことから、鉛直の端面からの入射光を効率よく全反射して水平の端面から出射するように、反射面は、各々、鉛直の端面及び水平の端面に対して４５°で傾斜する平面として形成される。なお、第１導光部材９３は、図４に示すように、第１プラテンガラス３２に対して第１光源５１と同一高さで、これらの双方に平行に設けられる。第２導光部材９４も同様である。
【００５９】
一方、第１導光部材９３からの光を第１プラテンガラス３２に照射する必要がある。このため、第１白基準部材７１Ｗは、第１光源５１からの光に対して半透明とされる。例えば、第１白基準部材７１Ｗは半白濁板からなる。従って、この場合の原稿の読取位置は、第１白基準部材７１Ｗに対応する位置Ａとなる。第２白基準部材６１Ｗについても、同様に、第２光源４１からの光に対して半透明とされる。従って、この例の白基準は半透明の白基準部材６１Ｗ、７１Ｗを読み取ったデータであるので、これを考慮して、原稿から読み取った画像についての白レベル補正処理を行なう必要がある。
【００６０】
なお、以上のような反射型の原稿の読取のための光路上に、用紙ガイド３７又は筐体２１Ａが存在したのでは、当該光が遮光されてしまう。そこで、主走査方向の全域にわたり存在する白基準部材６１Ｗ、７１Ｗの位置には、用紙ガイド３７又は筐体２１Ａが存在しないようにされる。従って、用紙ガイド３７又は筐体２１Ａは、主走査方向において、その読取領域（白基準部材６１Ｗ、７１Ｗの存在する領域）の両端の外側に設けられる。例えば、用紙ガイド３７又は筐体２１Ａの当該位置に開口が設けられ、これに板状の白基準部材６１Ｗ、７１Ｗが嵌め込まれる。また、用紙ガイド３７又は筐体２１Ａの当該位置に開口を設け、当該位置に板状の白基準部材６１Ｗ、７１Ｗを貼付するようにしてもよい。黒基準部材６１Ｂ、７１Ｂも、同様に、嵌め込まれ又は貼付される。
【００６１】
ＡＤＦ読取モードにおいて、原稿の片面から画像を読み取る場合であって、原稿が反射型（通常の白紙）である場合、前述のように、ＡＤＦ読取ユニット３１を用いる。この場合、第１反射板９１は、図４に示す位置となるように回転させられる。従って、第１反射板９１は、第１導光部材９３への光を遮光し、かつ、第１光源５１からの光を反射して、第２黒基準部材６１Ｂ及び第２白基準部材６１Ｗに照射し、原稿に照射する。これにより、読取位置Ｃで、最初に前述のようにして黒基準及び白基準を読み取り、次に原稿の画像を読み取る。
【００６２】
原稿の片面から画像を読み取る場合であって、原稿が透過型である場合、前述のように、ＦＢ読取ユニット２１の第２光源４１及びＡＤＦ読取ユニット３１を用いる。この場合、第２反射板９２は、図４に示す位置から１８０°回転させられる。従って、第２反射板９２は、読取位置Ｂ及びＡへの光を遮光し、かつ、第２光源４１からの光を第２導光部材９４へ入射させる。第２導光部材９４は、入射した光を全反射して、第２黒基準部材６１Ｂ及び第２白基準部材６１Ｗに照射し、原稿に照射する。これにより、読取位置Ｃで、最初に前述のようにして黒基準及び白基準を読み取り、次に原稿の画像を読み取る。
【００６３】
原稿の両面から画像を読み取る場合、前述のように、ＡＤＦ読取ユニット３１及びＦＢユニット１２のＦＢ読取ユニット２１を用いる。この場合、第１反射板９１及び第２反射板９２は、図４に示す位置となるように回転させられる。従って、第１反射板９１は、第１導光部材９３への光を遮光し、かつ、第１光源５１からの光を反射して、第２黒基準部材６１Ｂ及び第２白基準部材６１Ｗに照射し、原稿に照射する。これにより、読取位置Ｃで、最初に前述のようにして黒基準及び白基準を読み取り、次に原稿の画像を読み取る。これと並行して、第２反射板９２は、第２導光部材９４への光を遮光し、かつ、第２光源４１からの光を反射して、第１黒基準部材７１Ｂ及び第１白基準部材７１Ｗに照射し、原稿に照射する。これにより、最初に前述のようにして黒基準及び白基準を読取位置Ｂ及びＡで読み取り、次に原稿の画像を読取位置Ａで読み取る。
【００６４】
なお、透過型の原稿からの画像を、ＦＢ読取ユニット２１及びＡＤＦ読取ユニット３１の第１光源５１を用いて読み取る場合、第１反射板９１は、図４に示す位置から１８０°回転させられる。従って、第１反射板９１は、読取位置Ｃへの光を遮光し、かつ、第１光源５１からの光を第１導光部材９３へ入射させる。第１導光部材９３は、入射した光を全反射して、第１黒基準部材７１Ｂ及び第１白基準部材７１Ｗに照射し、原稿に照射する。これにより、最初に前述のようにして黒基準及び白基準を読取位置Ｂ及びＡで読み取り、次に原稿の画像を読取位置Ａで読み取る。
【００６５】
以上、本発明をその実施の形態により説明したが、本発明は、その主旨の範囲において、種々の変形が可能である。
【００６６】
例えば、図２において、ＡＤＦ読取ユニット３１及びＦＢ読取ユニット２１の構成は、当該図２に示す構成以外の種々の構成であってもよい。また、図３において、第１白基準部材７１Ｗ及び第１黒基準部材７１Ｂを、連続することなく、原稿の搬送方向（副走査方向）に離して設けるようにしてもよい。この場合、これに応じて、読取位置を変更し、バネ８１等の副走査方向の長さを変更すればよい。更に、図３において、第１白基準部材７１Ｗ及び第１黒基準部材７１Ｂの位置を入れ換え、第２白基準部材６１Ｗ及び第２黒基準部材６１Ｂの位置を入れ換えてもよい。
【００６７】
【発明の効果】
以上説明したように、本発明によれば、画像読取装置において、第１色基準部材と第２色基準部材とが同時に読み取られると共に、第２読取ユニット（ＦＢ読取ユニット）による弾性部材の押圧及びこれへの反発により、各々における白基準及び黒基準を順次に切り換えて読み取ることができる。これにより、原稿からの画像の読取に先立って白基準及び黒基準を読み取る処理において、白基準及び黒基準の読み取りを速やかに行なうことができるので、画像読取装置の読み取りの速度を向上し、スループットを向上することができる。
【００６８】
また、本発明によれば、画像読取装置において、第１及び第２光源に隣接する第１及び第２導光部材の少なくとも一方を設けることにより、反射光による読取位置の反対側から透過光をその読取位置に入射させることができる。これにより、光量の低下を少なくし、かつ、光の回り込みを少なくして、反射原稿と透過原稿の双方の読み取りを高品質で行うことができる。
【図面の簡単な説明】
【図１】画像読取装置構成図であり、画像読取装置の外観構成の概略の一例を示す。
【図２】画像読取装置構成図であり、画像読取装置の全体の断面の概略構成を示す。
【図３】画像読取装置構成図であり、画像読取装置の要部の断面の概略構成を示す。
【図４】画像読取装置構成図であり、画像読取装置の要部の断面の概略構成を示す。
【符号の説明】
１１　　ＡＤＦユニット
１２　　ＦＢユニット
２１　　第２読取ユニット（ＦＢ読取ユニット）
３１　　第１読取ユニット（ＡＤＦ読取ユニット）
６１Ｗ　　　第２白基準部材
６１Ｂ　　　第２黒基準部材
７１Ｗ　　　第１白基準部材
７１Ｂ　　　第１黒基準部材
８１　　バネ
９１　　第１反射板
９２　　第２反射板
９３　　第１導光部材
９４　　第２導光部材
【図１】
2004048436.tif 000003
【図２】
2004048436.tif 000004
【図３】
2004048436.tif 000005
【図４】
2004048436.tif 000006